(57)【要約】【課題】スタックに積み重ねられたシートの物理量を検出するための装置を開発して、スタック内部からワイヤレスで信号が得られるようにすること。【解決手段】スタックに積み重ねられたシートにおける物理量を検出するための装置であって、この装置は、上記の量の変化に反応する少なくとも１つのセンサを有しており、このセンサは、スタックの２枚のシートの間に挿入されかつ固定の評価装置に接続されている形式の装置において、上記のセンサ（５，６）と、評価装置（４，８）との間にワイヤレス接続（９）が設けられていることも特徴とする装置を構成する。【選択図】図１
2008273206.tif 000002
【特許請求の範囲】
【請求項１】
スタックに積み重ねられたシートにおける物理量を検出するための装置であって、
該装置は、前記の量の変化に反応する少なくとも１つのセンサを有しており、
該センサは、スタックの２枚のシートの間に挿入されかつ固定の評価装置に接続されている形式の装置において、
前記のセンサ（５，６）と、評価装置（４，８）との間にワイヤレス接続（９）が設けられていることも特徴とする、
スタックに積み重ねられたシートにおける物理量を検出するための装置。
【請求項２】
前記のセンサ（５，６）と、評価装置（４，８）との間に無線通信接続（９）が設けられている、
請求項１に記載の装置。
【請求項３】
前記のセンサ（５，６）は、トランスポンダと構造的に一体化されている、
請求項２に記載の装置。
【請求項４】
前記のセンサ（５，６）は、ストライプ状に構成されており、
トランスポンダアンテナが前記スタック（１）から突き出ている、
請求項３に記載の装置。
【請求項５】
前記センサ（６）は、スタック（１）における温度変化に反応する、
請求項１に記載の装置。
【請求項６】
前記センサ（６）は、スタック（１）における湿度変化に反応する、
請求項１に記載の装置。
【請求項７】
前記センサ（６）は、スタック（１）における圧力変化に反応する、
請求項１に記載の装置。
【請求項８】
枚葉式印刷機械の排紙装置に配置されるスタック（１）では、前記の評価装置（４）と、シート（２）の搬送路に配置される乾燥装置（３）に対する制御装置とが接続される、
請求項１に記載の装置。
【請求項９】
前記のスタック（１）には、センサ（５，６）を挿入するための装置が配設されている、
請求項８に記載の装置。
【請求項１０】
前記のセンサ（６）は、マイクロセンサとして構成されている、
請求項１に記載の装置。
【請求項１１】
前記のセンサ（６）の外寸は１mm以下である、
請求項１０に記載の装置。
【発明の詳細な説明】
【技術分野】
【０００１】
本発明は、請求項１の上位概念に記載された、スタックに積み重ねられたシートの物理量を検出するための装置に関する。
【背景技術】
【０００２】
枚葉紙印刷機において温度測定値および湿気測定値に基づき、乾燥装置を制御することは公知である。排紙装置スタックにおける温度および湿気を測定するため、平らなホルダに固定されたセンサが使用される。ここでこのホルダは、ブレードのように構成される。このいわゆるスタックブレード（Stapelschwert）は、印刷動作中、スタック上にあるシートの間に押しやられ、スタックの内部から測定値が得られる。センサからは線路が電力供給部および測定信号に対する評価装置に通じている。上記のスタックブレードを押し込むまた引き抜くことにより、シートの表面および印刷画像が損傷される。
【０００３】
可動部分または閉じられた空間における物理量を検出するため、トランスポンダによって構成されるセンサを使用することは公知である。測定信号は、ワイヤレス接続で固定の評価装置に伝送される。電力供給線路または信号線路は不要である。
【０００４】
DE 10 2006 036 A1からは乾燥装置に対する制御装置が公知であり、この制御装置においてシートの温度および湿度信号が処理される。これらの信号は、シート用のチェーンコンベアにおいて回転するワイヤレスセンサによって導かれる。電力供給のため、このセンサは熱電変換器を有しており、この熱電変換器は、上記の乾燥装置の放熱源に向かって配向される。
【０００５】
DE 101 44 103 A1によれば、ローラまたはシリンダのワイヤレスセンサにより、温度または湿度などの動作によって決まるパラメタが得られる。これらのセンサ信号は、機械または設備を制御するために使用される。
【特許文献１】DE 10 2006 036 A1
【特許文献２】DE 101 44 103 A1
【発明の開示】
【発明が解決しようとする課題】
【０００６】
本発明の課題は、スタックに積み重ねられたシートの物理量を検出するための装置を開発して、スタック内部からワイヤレスで信号が得られるようにすることである。
【課題を解決するための手段】
【０００７】
この課題は、本発明の請求項１により、スタックに積み重ねられたシートにおける物理量を検出するための装置であって、この装置は、上記の量の変化に反応する少なくとも１つのセンサを有しており、このセンサは、スタックの２枚のシートの間に挿入されかつ固定の評価装置に接続されている形式の装置において、上記のセンサと、評価装置との間にワイヤレス接続が設けられていることも特徴とする装置を構成することによって解決される。有利な実施形態は従属請求項に記載されている。
【０００８】
本発明によれば、スタックにおける物理量に対する検出装置は、スタックにおいて２枚のシートの間に配置される少なくとも１つのセンサと、このセンサに対してワイヤレスで接続される評価装置とからなる。
【発明を実施するための最良の形態】
【０００９】
上記のセンサは、スタックの内部における所望の物理量を直接または間接的に検出するために使用される。温度および／または湿気の変化に反応するセンサを、印刷機械の乾燥装置を制御するために使用可能である。圧力の変化を検出するセンサの信号から、スタックの高さおよびインキ、ラッカー、湿し剤およびパウダーの付着状態を決定することができる。圧力センサの信号から、スタックを新しいものと交換する装置およびインキ、ラッカー、湿し剤およびパウダーの付着状態を制御する装置の調整信号を導き出すことができる。センサを挿入するため、２枚のシートの間にセンサを配置する装置をスタックの横に設けることができる。
【００１０】
上記のセンサと評価装置との間のワイヤレス接続は、無線通信接続として実現することができる。択一的にはこのワイヤレス接続を、光学式または音響式の接続として構成することが可能である。
【００１１】
本発明の有利な実施形態では、上記のセンサは、トランスポンダと構造的に一体化される。
【００１２】
さらに、上記のセンサをマイクロセンサとして構成して、スタックに排紙する前または排紙中にシートの上に配置することも可能である。このマイクロセンサの外寸は１ｍｍ以下である。後続処理部に搬送する際、上記のマイクロセンサはスタックにとどまる。自律式のマイクロセンサは、物理量に対する信号を持続的に供給することができる。例えば、スタックにおける温度および／または湿度を持続的に測定することができるのである。
【実施例】
【００１３】
本発明を以下、実施例に基づいて説明する。
【００１４】
図１には枚葉式印刷機械の排紙装置のスタック１における温度を測定する装置が略示されている。
【００１５】
このスタック１は、上下に積み重ねられた多数のシート２からなる。シート２は印刷済みである。スタック１に排紙する前、シート２は乾燥部３を通過する。乾燥部３は、制御装置４に接続されている。制御装置４ではスタック１における温度を表す測定信号が処理される。これらの測定信号は、センサ５．１〜５．４によって得られる。ストライプ状のセンサ５．１から５．４は、挿入装置によってスタック１にガイドされて、２枚のシート２の間の１つずつの温度ピックアップは、スタック１の側面に対して間隔ａおよびｂを、また互いに間隔ｃを有するようにされる。センサ５．１〜５．４のそれぞれのピックアップ６とは反対側の端部は、スタック１の側面７から突き出ている。これらの端部には、温度信号に対するトランスポンダのアンテナ１が１つずつ含まれている。これらのトランスポンダの電力供給は自律式である。制御装置４は、送受信ユニット８に接続されている。これらのトランスポンダを読み出すために、送信ユニット８を起動する。このトランスポンダにより、都度の温度測定信号が受信ユニット８に返送される。送受信ユニット８と、トランスポンダとの間には無線通信接続が設けられている。
【図面の簡単な説明】
【００１６】
【図１】枚葉式印刷機械の排紙装置のスタック１における温度を測定する装置を示す図である。
【符号の説明】
【００１７】
１  スタック、２  シート、３  乾燥装置、  ４  制御装置、  ５  センサ、  ６  温度ピックアップ、  ７  側面、  ８  送受信ユニット、  ９  無線通信接続
【図１】
2008273206.tif 000003